(57)【要約】【課題】筆記の際、芯先端に過大な筆圧が作用したとき、過剰筆圧に基づく加圧力によらずに、スライダーが前進して、芯を保護できるようにした芯折れ防止機能付き筆記具を提供する。【解決手段】本体の外周に、軸径方向及び軸長方向に移動可能にグリップ部４を設け、後退バネ２９で後方に付勢する。グリップ部の先端は軸長方向に移動可能な先端当接具２２に当接し、該先端当接具により押し具３０が後退バネを圧縮する。スライダー６は、後退バネで後方に付勢されるよう間接的に若しくは直接的に後退バネの付勢力が作用するバネ受け部３９を有する。該後退バネが圧縮されたとき、後退バネとバネ受け部間に移動空間が形成され、この移動空間に沿ってスライダーは、前進バネ若しくはスライダーの自重で前進し、芯の先端を保護する。【選択図】図１
2020111040.tif 000002
【特許請求の範囲】
【請求項１】
本体の先端に設けたテーパーと、該テーパーに前後動可能に挿入されたスライダーを具備し、本体内に設けた芯繰出し機構により芯を送り出してスライダーで保護する形式の筆記具において、本体の外周に先端が軸径方向及び軸長方向に移動可能に設けられ本体の後方に後退バネで付勢されたグリップ部と、グリップ部の先端に当接し該グリップ部により前方に移動可能な先端当接具と、該先端当接具が前進するとき前方に移動して上記後退バネを圧縮する押し具を有し、上記スライダーは上記後退バネで後方に付勢されるよう該後退バネの付勢力が作用するバネ受け部を有し、該後退バネが押し具で圧縮されたとき後退バネとバネ受け部間に移動空間が形成され、上記スライダーが該移動空間に沿って前進可能となることを特徴とする芯折れ防止機構付き筆記具。
【請求項２】
上記移動空間が生じたとき、上記スライダーは、前進バネで前進することを特徴とする請求項１に記載の芯折れ防止機構付き筆記具。
【請求項３】
上記本体は、本体上と本体下で構成され、スライダーの後部と本体下の先部間に前進バネが設けられている請求項２に記載の芯折れ防止機構付き筆記具。
【請求項４】
上記移動空間が生じたとき、上記スライダーは、スライダーの自重で前進することを特徴とする請求項１に記載の芯折れ防止機構付き筆記具。
【請求項５】
上記スライダーは、軸長方向に延びる小径部を有し、該小径部の後部に上記バネ受け部が形成され、後退バネと押し具間には受けリングが設けられ、該受けリングには上記小径部に突出し上記バネ受け部に係合可能な係止爪が設けられ、受けリングが押し具で前進したとき該係止爪とバネ受け部間に上記移動空間が形成されることを特徴とする請求項１に記載の芯折れ防止機構付き筆記具。
【請求項６】
上記受けリングは後部に内方に突出する内方フランジを有し、該内方フランジとスライダーの後部間に、スライダーを前方に付勢する前進バネが設けられている請求項５に記載の芯折れ防止機構付き筆記具。
【請求項７】
上記押し具の先端には、上記後退バネの後端に当接する押圧片が形成され、上記スライダーの外周には、上記押圧片が摺動可能に嵌合する摺動溝が形成され、該摺動溝の開口端の周囲が上記バネ受け部となり、上記押し具が後退しているとき後退バネの後端は押圧片の先端とバネ受け部に当接し、押し具が前進したとき後退バネとバネ受け部間に上記移動空間が形成されることを特徴とする請求項１に記載の芯折れ防止機構付き筆記具。
【発明の詳細な説明】
【技術分野】
【０００１】
本発明は、筆圧が過度にかかった場合に、芯折れを防止するようにした芯折れ防止機構付き筆記具に関するものである。
【背景技術】
【０００２】
シャープペンシル等の筆記具において、過剰な筆圧が作用した際、芯が折れないように軸筒の先端から突出している芯ホルダーを前進させて芯を保護する芯折れ防止機構付き筆記具が知られている(例えば特許文献１参照)。特許文献１に記載の筆記具は、大きな筆圧で軸筒が傾斜したときに軸筒の軸径方向に加わる力により芯ホルダーを前方に押し出し、芯の外周に芯ホルダーの先端を前進させて芯を覆うようにした構成である。この際、芯ホルダーの先端には、過剰な筆圧に起因する大きな加圧力が直接的に作用し、先端部を紙面に強く押し付けることになるから、筆記している紙に傷をつけたり、紙を破ってしまうおそれがある。
【０００３】
上記特許文献１の構成では、筆記芯を繰出す芯繰出し機構を軸筒内で傾斜させなければならないので、筆記芯に損傷を与えるおそれもある。軸筒内の芯繰出し機構を傾けずに、過剰な筆圧が作用したとき、グリップや軸筒の前軸を軸径方向に傾けることにより芯を保護しようとする機構も提案されている（例えば特許文献２、３参照）。しかし、特許文献２に記載のシャープペンシルは、過大な筆圧が作用したとき、グリップを傾けて、芯繰出ユニットを軸方向後方に移動させる構成であるから、このようなシャープペンシルでは、筆記中に芯繰出ユニットが突然後退して芯が没入することになり、筆記作業が中断され、使用しずらい。
【０００４】
また、特許文献３に記載のシャープペンシルでは、前軸が後軸に対して傾いたとき芯繰出しユニットが前進するよう構成されているが、上記特許文献１と同じように、過剰な筆圧に対応した大きな加圧力で芯繰出しユニットを直接前進させて口金を紙面に押し付けることになるから、紙面を損傷等するおそれがある。
【先行技術文献】
【特許文献】
【０００５】
【特許文献１】特許第５８２７６７５号公報（特許請求の範囲、段落０００９〜００１１、図１、図４）
【特許文献２】特開２０１７−１３２８６号公報（特許請求の範囲、段落００２３、図３、図４）
【特許文献３】特開２０１７−１３２８９号公報（特許請求の範囲、段落００３９、図２、図４〜図６）
【発明の概要】
【発明が解決しようとする課題】
【０００６】
本発明の解決課題は、軸筒本体の先端に設けたテーパー(口金)に、芯を保護するスライダーを前後動可能に設けた筆記具において、過度の筆圧が作用した際、軸筒本体の軸径方向若しくは軸長方向に加わる力により上記スライダーが前進可能となり、紙面を損傷することなく、芯を保護できるようにした芯折れ防止機構付き筆記具を提供することである。
【課題を解決するための手段】
【０００７】
本発明によれば、本体の先端に設けたテーパーと、該テーパーに前後動可能に挿入されたスライダーを具備し、本体内に設けた芯繰出し機構により芯を送り出してスライダーで保護する形式の筆記具において、本体の外周に先端が軸径方向及び軸長方向に移動可能に設けられ本体の後方に後退バネで付勢されたグリップ部と、グリップ部の先端に当接し該グリップ部により前方に移動可能な先端当接具と、該先端当接具が前進するとき前方に移動して上記後退バネを圧縮する押し具を有し、上記スライダーは上記後退バネで後方に付勢されるよう該後退バネの付勢力が作用するバネ受け部を有し、該後退バネが押し具で圧縮されたとき後退バネとバネ受け部間に移動空間が形成され、上記スライダーが該移動空間に沿って前進可能となることを特徴とする芯折れ防止機構付き筆記具が提供され、好ましくは、上記移動空間が生じたとき、上記スライダーは、前進バネ若しくはスライダーの自重で前進することを特徴とする上記芯折れ防止機構付き筆記具が提供される。
【０００８】
また、本発明によれば、上記スライダーは軸長方向に延びる小径部を有し、該小径部の後部に上記バネ受け部が形成され、後退バネと押し具間には受けリングが設けられ、該受けリングには上記小径部に突出し上記バネ受け部に係合可能な係止爪が設けられ、受けリングが押し具で前進したとき該係止爪とバネ受け部間に上記移動空間が形成されることを特徴とする上記芯折れ防止機構付き筆記具が提供される。
【０００９】
また、本発明によれば、上記押し具の先端には、上記後退バネの後端に当接する押圧片が形成され、上記スライダーの外周には、上記押圧片が摺動可能に嵌合する摺動溝が形成され、該摺動溝の開口端の周囲が上記バネ受け部となり、上記押し具が後退しているとき後退バネの後端は押圧片の先端とバネ受け部に当接し、押し具が前進したとき後退バネとバネ受け部間に上記移動空間が形成されることを特徴とする上記芯折れ防止機構付き筆記具が提供される。
【発明の効果】
【００１０】
本発明の筆記具は、上記のように、本体の先端に設けたテーパーと、該テーパーに前後動可能に挿入されたスライダーを具備し、本体内に設けた芯繰出し機構により芯を送り出して外周をスライダーで保護するよう構成されている。上記本体の外周には、先端が軸径方向及び軸長方向に移動可能に設けられ本体の後方に後退バネで付勢されたグリップ部と、グリップ部の先端に当接し該グリップ部により前方に移動可能な先端当接具が設けられている。本体内には、上記先端当接具が前進するとき前方に移動して上記後退バネを圧縮するよう押し具を設けてある。上記スライダーには、上記後退バネで後方に付勢されるよう該後退バネの付勢力が作用するバネ受け部を設けてある。そして、上記グリップ部の先端が、過剰筆圧で軸長方向若しくは軸径方向に移動したとき前方に移動する先端当接具及び押し具を介して後退バネが圧縮され、後退バネと上記バネ受け部間に移動空間が形成されるようにしたから、上記スライダーは該移動空間に沿って前進可能となり、芯の外周を十分に覆う位置まで前進して、芯折れを防止することができる。この際、上記移動空間が生じたとき、上記スライダーが自重で移動するようにすると、構成が簡単になり、また前進バネでスライダーを押圧するようにすると確実にスライダーが前進して芯折れを防止することができる。
【００１１】
また、上記スライダーに、軸長方向に延びる小径部を設け、該小径部の後部に上記バネ受け部を形成し、後退バネと押し具間に受けリングを設け、該受けリングに上記小径部に突出し上記バネ受け部に係合可能な係止爪を設けると、受けリングが押し具で前進したとき該係止爪とバネ受け部間に上記移動空間が形成され、この移動空間内で上記係止爪に当たるまでスライダーが前進可能となり、スライダーを前進位置に移動させることができる。さらに、上記押し具の先端に、上記後退バネの後端に当接する押圧片を形成し、上記スライダーの外周に、上記押圧片が摺動可能に嵌合する摺動溝を形成し、該摺動溝の開口端の周囲を上記バネ受け部に構成すると、上記押し具が後退しているとき後退バネの後端は押圧片の先端とバネ受け部に当接し、押し具が前進したとき後退バネとバネ受け部間に上記移動空間が形成されるから、上述のようにスライダーが前進して芯の周囲を確実に保護することができる。
【図面の簡単な説明】
【００１２】
【図１】本発明の一実施例を示す断面図。
【図２】図１の筆記具の芯繰出し機構を省略した端面図を示し、（Ａ）はＡ―Ａ線端面図、（Ｂ）はＢ―Ｂ線端面図、（Ｃ）はＣ―Ｃ線端面図、（Ｄ）はＤ―Ｄ線端面図。
【図３】本体下を示し、（Ａ）は側面図、（Ｂ）は半断面図、（Ｃ）は底面図。
【図４】先端当接具を示し、（Ａ）は平面図、（Ｂ）は半断面図、（Ｃ）は左側面図、（Ｄ）は右側面図。
【図５】押し具を示し、（Ａ）は平面図、（Ｂ）は半断面図、（Ｃ）は左側面図。
【図６】受けリングを示し、（Ａ）は半断面図、（Ｂ）は左側面図、（Ｃ）は右側面図。
【図７】スライダーの半断面図。
【図８】芯繰出し機構の半断面図。
【図９】通常の筆記状態の説明図。
【図１０】過剰筆圧が作用しはじめたとき説明図。
【図１１】芯の先端がスライダーで保護された状態を示す説明図。
【図１２】グリップ部の他の実施例を示す断面図。
【図１３】グリップ部のさらに他の実施例を示す断面図。
【図１４】前進バネを使用しない実施例を示す一部の断面図。
【図１５】受けリングを使用しない実施例の断面図。
【図１６】図１５に示す実施例のスライダーを示し、（Ａ）は左側面図、（Ｂ）は正面図、（Ｃ）は平面図、（Ｄ）は底面図。
【図１７】図１５に示す実施例のスライダーと押し具の関係を示し、（Ａ）は通常の筆記時の説明図、（Ｂ）は過剰筆圧時の説明図、（Ｃ）はスライダーが移動した状態の説明図。
【図１８】他の実施例を示す説明図。
【図１９】さらに他の実施例を示す説明図。
【図２０】使用の態様を示す説明図。
【発明を実施するための形態】
【００１３】
本発明は、各種の筆記具や棒状の化粧用具の繰出具等に適用することができるが、図に示す実施例では筆記具としてシャープペンシルに適用した実施例につき説明する。なお、本明細書において、「前」、「先」とは芯が繰り出される方向をいい、「後」とは芯が没入される方向をいう。また、軸径方向とは、軸筒本体の軸心に直交する方向を意味し、軸長方向とは軸心に沿った方向を意味する。
【００１４】
図１、図２を参照し、軸筒本体１は、本体上２と、該本体上２に連結される本体下３で構成され、本体下の外周にはグリップ部４が設けられ、前部にはテーパー（口金）５と、該テーパーから前後動可能に突出するスライダー６が設けられている。図１、図２に示すように、本体上２にはクリップ７が一体的に形成され、前部にはねじ部８を介して小径の内筒部９が形成されている。本体下３は、図３に示すように、後部に内面にねじ部１０を有する連結筒１１が有り、該連結筒１１を本体上２のねじ部８にねじ着して本体上２に連結固定される。連結筒１１の前部には、段部１２を介して、本体上２の上記内筒部９が挿入される内径を有する前筒部１３が形成されている。該前筒部１３の先端近くには、弧状の挿通孔１４と、芯繰出し機構１５の先部が挿通する中心孔１６を形成した壁部１７が設けられている。前筒部１３の外周には、軸長方向に延びる長溝１８が有り、該長溝１８の後部には前筒部１３内に開口する長孔１９が設けられ、かつ上記テーパー５をねじ着するためのねじ部２０が形成され、後方には連結筒１１の段部１２から少し離れた位置に係止突起２１が設けられている。
【００１５】
上記前筒部１３には、先端当接具２２が軸長方向に移動可能に嵌合している。該先端当接具２２は、図４に示すように、上記テーパー５の後端外周が入り込む内径の空間部を形成した頭部２３を有し、該頭部２３の後面にはグリップ部４の先端が当接する当接面２４が形成され、頭部の後方には上記長溝１８に摺動可能に嵌合する摺動片２５が延びており、その後端には、上記本体下３の前筒部１３に設けた長孔１９を通して前筒部内に突出する連結突起２６が設けられている。上記当接面２４は、グリップ部４が軸径方向若しくは軸長方向に移動したとき、上記先端当接具２２を軸長方向に移動するようなカム面となっている。図４に示す実施例では、当接面２４は、前方に広がるような傾斜面に形成され、この傾斜面に接するグリップ部４の先端を角部に形成してあるが、当接面を角部に形成し、グリップ部の先端に傾斜面を設けたり、当接面及びグリップ部の先端を傾斜面に形成してもよい（図示略）。
【００１６】
また、前筒部１３の係止突起２１と連結筒１１の段部１２の間には、リング状の後端当接具２７が嵌着されており、この後端当接具２７の当接面２８はグリップ部４を前方に案内するような傾斜面に形成されている。上記グリップ部４は、上記先端当接具２２と後端当接具２７により挟み込まれており、後退バネ２９の荷重により通常は本体下３の前筒部１３の外周面との間に空間が存する中空状態に保持されている。
【００１７】
上記本体下３の前筒部１３の内方には、押し具３０が軸長方向に移動可能に収納されている。該押し具３０は、図５に示すように、筒状に形成され、前部には、上記壁部１４に形成した挿通孔１４に挿通する押圧片３１を対向状態に設けてある。そして、この押圧片３１の先端は、受けリング３２に当接しており、該受けリングの外方段部（図６参照）３４と上記テーパー５の内面段部３３と間に上記後退バネ２９が設けられ、この後退バネ２９で上記押し具３０、先端当接具２２及びグリップ部４を、後方に付勢している。押し具３０は、上記長孔１９から突出する上記連結突起２６に後端が係合することにより後退動が阻止されているが、先端当接具２２が前進するとき、押し具３０は連結突起２６を介して前進し、後退バネ２９を圧縮することができる。上記受けリング３２の前方内面には、後退バネ２９の後方に向かう付勢力(荷重)を上記スライダー６に伝達するため内方に突出する係止爪３５が設けられている。
【００１８】
上記スライダー６は、図７に示すように、筒状に形成され、先部に芯挿通孔３６を有し、外周にはテーパー５の先端面に当接するフランジ３７があり、外周には軸長方向に延びる小径部３８が形成され、該小径部３８の後端に、上記受けリング３２の係止爪３５が当接して後退バネ２９の付勢力が作用するようバネ受け部３９が形成されている。また、図９に示すように、該スライダー６の後端と、本体下３の先部、実施例においては、壁部１７の間には、上記後退バネ２９より弱いバネ圧の前進バネ４０が設けられている。この前進バネ４０によりバネ受け部３９が上記受けリング３２の係止爪３５に係合する方向に、即ち前方にスライダー６は付勢されるが、受けリング３２が後退バネ２９で後方に付勢されているから、結果として、通常の筆記状態では、係止爪３５がバネ受け部３９に当接してスライダー６は、後方に付勢され、フランジ３７がテーパー５の先端面に当接する位置で停止している。
【００１９】
上記芯繰出し機構１５は、種々に構成することができる。図１に示す実施例では、図８に示すように、チャックジョイント４１の後部に芯タンク４２を接続し、前部にチャック４３を接続し、チャック４３を締着するクラッチ４４の後端をコネクター４５に当接し、該コネクター４５と芯タンク４２間にチャックスプリング４６を設けてチャック４３等を後方に付勢してある。上記コネクター４５に設けたフランジ４７の前部には、ブレーカ４８ーと、上記クラッチ４４が前進した際当接する内段部４９を形成したシャープメカテーパー５０を接続してある。上記コネクター４５の後部には、図１に示すように、メカ押さえパイプ５１が挿入され、該メカ押さえパイプ５１を、上記本体上２の内筒部９の前端に固定することにより、芯繰出し機構１５が本体上２内に装着され、筆記時の筆圧を本体上２で支持するように構成している。なお、芯タンク４２の後部には、消しゴムホルダー５２が嵌着され、消しゴム５３、消しゴムキャップ５４が取り付けられている。
【００２０】
上記の構成により、図９に示すように、起立状態で筆記しているときは、グリップ部４は、先端が先端当接具２２の当接面２４に均等にあたり、該先端当接具は強く押圧されておらず前進していないから、押し具３０は後退バネ２９により後退した状態にある。そして、スライダー６も後退バネの作用で後退している。芯５６を繰出して軸筒を傾斜した状態で把持しているとき、図１矢印５５方向に筆記に伴う過剰な筆圧が芯に作用すると、この過剰筆圧による荷重は、グリップ部に対して軸径方向に作用し、グリップ部４は、図１０に示すように、軸径方向に移動する。その結果、先端当接具２２は押されて前進し、押し具３０及び受けリング３２を前進させるので、該受けリング３２を介して後退バネ２９は圧縮される。これにより、スライダー６を後方に付勢している付勢力は消失するが、受けリング３２が前進するので、バネ受け部３９と受けリング３２の係止爪３５の間にはスライダー６が前進可能な移動空間Ｓが形成される。そして、図１１に示すように、スライダーは、この移動空間を閉じる分、前進バネ４０の作用で前進し、芯５６の先端を覆うから、芯折れを防止することができる。
【００２１】
グリップ部４を起立させた状態で使用しているとき、過剰な筆圧が図１矢印５７方向に作用したときには、先端当接具２２はグリップ部４に押されて軸長方向に移動するから、上記図１０、図１１と同様に押し具３０及び受けリング３２が前進し、後退バネ２９が圧縮されてスライダー６が前進可能となり、前進バネ４０の作用でスライダー６を前進させて芯５６の先端を保護することができる。
【００２２】
上記実施例では、グリップ部４として軸筒１の本体下３の外周に筒状のグリップ部４を嵌着したが、軸筒本体をグリップ部とすることもできる。図１２はそのような実施例を示し、円筒状の本体５８の周囲を本体カバー５９でカバーして軸筒本体を構成し、本体カバー５９の先端を先端当接具２２に当接してある。上記実施例とほぼ同様に、後退バネ２９の作用で該本体カバー５９及び先端当接具２２等を後方に付勢し、本体カバー５９に設けた係止突起６０を、本体５８のフランジ６１の下面に係合させることにより、通常のように筆記ができるようにしてある。先端当接具２２、押し具３０、スライダー６等の他の構成は上記実施例とほぼ同様に構成してある。この構成により、過剰筆圧が作用すると、軸径方向若しくは軸長方向に本体カバー５９が移動するから、上記実施例と同様に先端当接具２２、押し具３０を介して後退バネ２９が圧縮され、移動空間が形成されてスライダー６が前進可能となり、前進バネ４０の作用で前進して芯５６を保護することができる。
【００２３】
また、上記実施例では、グリップ部４の後部に後端当接具２７を設けてグリップ部４の上下端を保持しているが、後端当接具２７を省略することもできる。この場合には、図１３に示すように、グリップ部４の後端にストッパー６２を設け、このストッパー６２が本体下３の連結筒１１の段部１２に当たってグリップ部４の先端が軸径方向及び軸長方向に移動できるようにすればよい。
【００２４】
さらに、上記実施例では、スライダー６を前進バネ４０で付勢し、移動空間が生じたときスライダー６を前進バネ４０で押圧して前進させているが、筆記具は起立状態で使用されることが多いので、スライダー６には前進方向に自重が作用する。したがって、スライダー６の自重が十分あれば、図１４に示すように、前進バネを省略してもよい。
【００２５】
上記実施例では、後退バネ２９に当接する受けリング３２を設けてスライダーのバネ受け部３９に後退バネ２９の付勢力が間接的に作用するようにしているが、受けリング３２を省略して後退バネの付勢力を直接的にバネ受け部に作用させてスライダーを後方に付勢することもできる。
【００２６】
図１５〜図１７を参照し、基本的には上記図１に示す実施例とほぼ同様の構成であるが、受けリングを使用しないので、押し具３０の先端に形成した押圧片３１は、スライダー６を囲んで前方に延びており、上記後退バネ２９の後端に当接している。スライダー６の後部の外周には、フランジ６３が形成され、該フランジ６３には、上記押圧片３１が摺動可能に嵌合する摺動溝６４が形成されおり、該摺動溝６４の開口端の周囲のフランジ６３の前端面がバネ受け部６５となっている。
【００２７】
上記構成により、通常の筆記状態において、後退バネ２９の後端は、押圧片３１の先端に接して押し具３０を後退させ、押圧片３１の先端とバネ受け部６５はほぼ同一平面となる位置になり、後退バネの後端はフランジ６３の前端面に接している。それにより上記バネ受け部６５を介して後退バネ２９の後端が直接スライダー６に当接することになり、スライダー６は後退バネ２９に直接押されて、図１７(Ａ）に示すように、後退している。そして、押し具３０が過剰筆圧により上述のように前進したとき、後退バネ２９は圧縮され、その後端とバネ受け部６５間には、図１７（Ｂ）に示すように、移動空間Ｓが形成されるから、上述の実施例を同じように前進バネ４０若しくはスライダーの自重によりこの移動空間Ｓに沿ってスライダー６は、図１７(Ｃ)に示すように、前進し、芯の先端を十分に保護し、芯折れを防止することができる。過剰な筆圧が除去されると、後退バネ２９の作用で押し具３０及びスライダー６は後退し、上記図１７(Ａ)の状態に戻り、筆記を続けることができる。
【００２８】
上記実施例において、前進バネ４０は、前端をスライダー６の後部に当接し、後端を本体下３の壁部１７に当接してスライダー６を前進方向に付勢している。そのため、過剰筆圧時に押し具３０により受けリング３２が前進すると、前進バネ４０が延び、荷重が弱くなる傾向になるおそれがある。そのようなおそれがあるときには、前進バネの荷重が常時定量となるように構成すればよい。
【００２９】
図１８は、そのような実施例を示し、受けリング３２の後端に、内方に突出する内方フランジ７０を設け、該内方フランジ７０とスライダー６の後部間に、前進バネ４０を設けてある。このようにすれば、前進バネ４０の荷重は、常時定量に保持されるので、受けリング３２が前進したとき、前進バネ４０で確実にスライダー６を前進させることができる。
【００３０】
図１８に示す実施例では、受けリング３２を１つの部材で構成してあるが、受けリング３２を２つの部材で構成してもよい。図１９は、そのような実施例を示し、受けリング３２を、係止爪３５を有する筒状の前方受けリング片７１と、内方フランジ７０を有する筒状の後方受けリング片７２で形成してある。そして、前方受けリング片７１をスライダー６の外周に組み込んだ後、後方受けリング片７２の内方に前進バネ４０を挿入し、該後方受けリング片７２の先部を前方受けリング片７１の内方に嵌装し、ねじ着、かみ合わせ等の固着手段により固定してある。このようにすれば、製作、組立が容易である。
【００３１】
上記の構成により、本発明の筆記具は、軸筒を把持する態様が、ほぼ垂直状態や傾斜状態等のどのような角度であっても、図２０に示すように、過剰筆圧が作用したとき、過剰筆圧の加圧力によらずに、１つの仕組みで、スライダーを前進バネ若しくはスライダーの自重で前進させて、芯の先端を十分に覆って、芯折れを防止することができ、紙面に損傷を与えることがなく、筆記感を損なうおそれもない。
【符号の説明】
【００３２】
１    軸筒本体
２    本体上
３    本体下
４    グリップ部
５    テーパー
６    スライダー
１５  芯繰出し機構
２２  先端当接部
２６  連結突起
２７  後端当接部
２９  後退バネ
３０  押し具
３１  押圧片
３２  受けリング
３５  係止爪
３９、６５  バネ受け部
４０  前進バネ
５１  メカ押えパイプ
５９  本体カバー
Ｓ  移動空間
【図１】
2020111040.tif 000003
【図２】
2020111040.tif 000004
【図３】
2020111040.tif 000005
【図４】
2020111040.tif 000006
【図５】
2020111040.tif 000007
【図６】
2020111040.tif 000008
【図７】
2020111040.tif 000009
【図８】
2020111040.tif 000010
【図９】
2020111040.tif 000011
【図１０】
2020111040.tif 000012
【図１１】
2020111040.tif 000013
【図１２】
2020111040.tif 000014
【図１３】
2020111040.tif 000015
【図１４】
2020111040.tif 000016
【図１５】
2020111040.tif 000017
【図１６】
2020111040.tif 000018
【図１７】
2020111040.tif 000019
【図１８】
2020111040.tif 000020
【図１９】
2020111040.tif 000021
【図２０】
2020111040.tif 000022
【手続補正書】
【提出日】令和1年12月2日(2019.12.2)
【手続補正１】
【補正対象書類名】明細書
【補正対象項目名】００１９
【補正方法】変更
【補正の内容】
【００１９】
上記芯繰出し機構１５は、種々に構成することができる。図１に示す実施例では、図８に示すように、チャックジョイント４１の後部に芯タンク４２を接続し、前部にチャック４３を接続し、チャック４３を締着するクラッチ４４の後端をコネクター４５に当接し、該コネクター４５と芯タンク４２間にチャックスプリング４６を設けてチャック４３等を後方に付勢してある。上記コネクター４５に設けたフランジ４７の前部には、ブレーカー４８と、上記クラッチ４４が前進した際当接する内段部４９を形成したシャープメカテーパー５０を接続してある。上記コネクター４５の後部には、図１に示すように、メカ押さえパイプ５１が挿入され、該メカ押さえパイプ５１を、上記本体上２の内筒部９の前端に固定することにより、芯繰出し機構１５が本体上２内に装着され、筆記時の筆圧を本体上２で支持するように構成している。なお、芯タンク４２の後部には、消しゴムホルダー５２が嵌着され、消しゴム５３、消しゴムキャップ５４が取り付けられている。
【手続補正２】
【補正対象書類名】明細書
【補正対象項目名】００２７
【補正方法】変更
【補正の内容】
【００２７】
上記構成により、通常の筆記状態において、後退バネ２９の後端は、押圧片３１の先端に接して押し具３０を後退させ、押圧片３１の先端とバネ受け部６５はほぼ同一平面となる位置になり、後退バネの後端はフランジ６３の前端面に接している。それにより上記バネ受け部６５を介して後退バネ２９の後端が直接スライダー６に当接することになり、スライダー６は後退バネ２９に直接押されて、図１７(Ａ）に示すように、後退している。そして、押し具３０が過剰筆圧により上述のように前進したとき、後退バネ２９は圧縮され、その後端とバネ受け部６５間には、図１７（Ｂ）に示すように、移動空間Ｓが形成されるから、上述の実施例と同じように前進バネ４０若しくはスライダーの自重によりこの移動空間Ｓに沿ってスライダー６は、図１７(Ｃ)に示すように、前進し、芯の先端を十分に保護し、芯折れを防止することができる。過剰な筆圧が除去されると、後退バネ２９の作用で押し具３０及びスライダー６は後退し、上記図１７(Ａ)の状態に戻り、筆記を続けることができる。
【手続補正３】
【補正対象書類名】明細書
【補正対象項目名】００３１
【補正方法】変更
【補正の内容】
【００３１】
上記の構成により、本発明の筆記具は、軸筒を把持する態様が、図２０の実線及び鎖線で示すように、ほぼ垂直状態や傾斜状態等のどのような角度であっても、過剰筆圧が作用したとき、過剰筆圧の加圧力によらずに、１つの仕組みで、スライダーを前進バネ若しくはスライダーの自重で前進させて、芯の先端を十分に覆って、芯折れを防止することができ、紙面に損傷を与えることがなく、筆記感を損なうおそれもない。
【手続補正４】
【補正対象書類名】図面
【補正対象項目名】図８
【補正方法】変更
【補正の内容】
【図８】
2020111040.tif 000023
【手続補正５】
【補正対象書類名】図面
【補正対象項目名】図２０
【補正方法】変更
【補正の内容】
【図２０】
2020111040.tif 000024